(57)【要約】      （修正有）【課題】良好な防水性を確保することが可能なパッキン装着構造及びコネクタを提供する。【解決手段】端子収容筒部２３とフード部２２ａを有するハウジング２１とパッキン１１と治具５１を備えるパッキンの装着構造であって、パッキンは端子収容筒部の外周に密着して装着される。治具は、パッキンの形状に対応して、本体部５２の端面５２ａに、係止部としての凸部５６が形成されている。パッキン１１には、凸部に係止される被係止部としての凹部１５が形成されていることにより、パッキンがハウジング内側に落ち込まないようにし、防水性が損なわれることを防止する。【選択図】図７
2014096265.tif 000002
【特許請求の範囲】
【請求項１】
端子を収容する筒状の端子収容筒部と、該端子収容筒部の外周を覆うように形成された筒状のフード部と、を有するハウジングと、
前記端子収容筒部と前記フード部との間から前記ハウジング内部に挿入され、前記端子収容筒部の外周に密着して装着される環状のパッキンと、
開口側の端面が前記パッキンの形状に対応した環状に形成された筒状の本体部を有し、該本体部の少なくとも一部が、前記端面に前記パッキンが接触した状態で前記ハウジング内部に挿入されることにより、前記パッキンを前記端子収容筒部に装着させる治具と、
を備えるパッキン装着構造であって、
前記端面には、係止部が形成され、
前記パッキンには、前記係止部に係止される被係止部が形成されている、
ことを特徴とするパッキン装着構造。
【請求項２】
前記係止部が、前記端面から前記パッキンの挿入方向に突出した凸部であり、
前記被係止部が、前記パッキンに形成されて前記凸部と嵌合する凹部である、
ことを特徴とする請求項１に記載のパッキン装着構造。
【請求項３】
前記端面には、前記係止部が複数形成され、
前記パッキンには、前記係止部がそれぞれ係止される前記被係止部が複数形成されている、
ことを特徴とする請求項１又は請求項２に記載のパッキン装着構造。
【請求項４】
端子を収容する筒状の端子収容筒部と、該端子収容筒部の外周を覆うように形成された筒状のフード部と、を有するハウジングと、
前記端子収容筒部と前記フード部との間から前記ハウジング内部に挿入され、前記端子収容筒部の外周に密着して装着される環状のパッキンと、
を備え、
開口側の端面が前記パッキンの形状に対応した環状に形成された筒状の本体部を有する治具の前記端面に前記パッキンが接触した状態で、前記治具の前記本体部の少なくとも一部が前記ハウジング内部に挿入されることにより、前記パッキンが前記端子収容筒部に装着されるコネクタであって、
前記パッキンには、前記治具の前記端面に形成された係止部に係止される被係止部が形成されている、
ことを特徴とするコネクタ。
【発明の詳細な説明】
【技術分野】
【０００１】
本発明は、パッキン装着構造及びコネクタに関する。
【背景技術】
【０００２】
ハウジングに形成された端子挿入穴内への水の浸入を防ぐために、防水栓を挿入治具の先端部で保持した状態で、当該防水栓及び端子挿入治具の先端部を端子挿入穴に挿入し、当該先端部の側面に設けられた段部をハウジングに当接させることによって、防水栓を端子挿入穴の所定深さに位置決めして配置して、防水栓を端子挿入穴に装着する技術が知られている（例えば、特許文献１参照。）。
【先行技術文献】
【特許文献】
【０００３】
【特許文献１】特開平８−２３６２４７号公報
【発明の概要】
【発明が解決しようとする課題】
【０００４】
まず、図９〜図１３を参照して、参考例として示すパッキン装着構造における課題について説明する。
【０００５】
図９は、環状のパッキン５を備えた参考例に係るコネクタ６を示す分解斜視図、図１０は、環状のパッキン５を備えた参考例に係るコネクタ６を示す横断面図、図１１は、ハウジング４へパッキン５を装着させる際に用いられる治具７の斜視図である。図１２は、ハウジング４へのパッキン５の装着過程を説明する説明図であって、図１２（ａ）〜図１２（ｃ）は、それぞれハウジング４及びパッキン５及び治具７の横断面図である。図１３は、パッキン５を保持した治具７の横断面図である。
【０００６】
図９及び図１０に示すように、参考例に係るコネクタ６では、後端側から端子１が挿入され、前端側からリテーナ２が装着される端子収容筒部３を有するハウジング４に、環状のパッキン５が組み付けられ、このパッキン５によって相手方コネクタ（図示略）との接続箇所が防水される。このコネクタ６では、特許文献１とは異なり、図１１に示す環状部分を有する治具７によってパッキン５がハウジング４に装着される。
【０００７】
具体的には、図１２（ａ）に示すように、環状の治具７の内側に環状のパッキン５の先端側が嵌め込まれる。そして、図１２（ｂ）に示すように、この治具７がハウジング４に対して先端側から挿し込まれ、パッキン５の後端で外周側へ突出するつば部５ａに形成されたリブ５ｂが、ハウジング４に形成されたロックアーム４ａに係止される。その後、図１２（ｃ）に示すように、治具７がハウジング４から抜き取られる。このように、パッキン５は、つば部５ａに形成されたリブ５ｂがハウジング４のロックアーム４ａに係止されることにより、ハウジング４に組み付けられる。
【０００８】
しかしながら、このように環状のパッキン５が環状の治具７によりハウジング４へ装着される場合には、パッキン５が嵌め込まれた状態で治具７がハウジング４の内部へ挿入されるため、パッキン５に弛みが生じることがあると本願の発明者は認識している。即ち、図１３に示すように、パッキン５がハウジング４への挿入方向と交差する方向である内側（図１３中矢印Ａ方向）に落ち込むように変形してしまう虞がある。この場合には、パッキン５のハウジング４への挿入時に、治具７に保持されたパッキン５の姿勢が崩れ、パッキン５とハウジング４との間にどつきが生じる虞がある。このどつきが生じると、パッキン５がハウジング４に正しく装着されず、相手方コネクタとの接続箇所での防水性が損なわれる可能性がある。
【０００９】
本発明は、上述した事情に鑑みてなされたものであり、その目的は、良好な防水性を確保することが可能なパッキン装着構造及びコネクタを提供することにある。
【課題を解決するための手段】
【００１０】
前述した目的を達成するために、本発明に係るパッキン装着構造は、下記（１）〜（３）を特徴としている。
（１）  端子を収容する筒状の端子収容筒部と、該端子収容筒部の外周を覆うように形成された筒状のフード部と、を有するハウジングと、
前記端子収容筒部と前記フード部との間から前記ハウジング内部に挿入され、前記端子収容筒部の外周に密着して装着される環状のパッキンと、
開口側の端面が前記パッキンの形状に対応した環状に形成された筒状の本体部を有し、該本体部の少なくとも一部が、前記端面に前記パッキンが接触した状態で前記ハウジング内部に挿入されることにより、前記パッキンを前記端子収容筒部に装着させる治具と、
を備えるパッキン装着構造であって、
前記端面には、係止部が形成され、
前記パッキンには、前記係止部に係止される被係止部が形成されている、
こと。
（２）  上記（１）の構成のパッキン装着構造であって、
前記係止部が、前記端面から前記パッキンの挿入方向に突出した凸部であり、
前記被係止部が、前記パッキンに形成されて前記凸部と嵌合する凹部である、
こと。
（３）  上記（１）又は（２）の構成のパッキン装着構造であって、
前記端面には、前記係止部が複数形成され、
前記パッキンには、前記係止部がそれぞれ係止される前記被係止部が複数形成されている、
こと。
【００１１】
上記（１）の構成のパッキン装着構造では、環状のパッキンが環状の治具によりハウジングへ装着される場合であっても、治具の本体部の端面に形成された係止部がパッキンの被係止部に係止された状態でパッキンが端子収容筒部とフード部との間からハウジング内部に挿入されるので、パッキンに弛みが生じてパッキンが落ち込んでしまう事態の発生が抑制される。即ち、治具に保持されたパッキンの姿勢が安定化されるため、パッキンがハウジングに対して正しく装着され易い。したがって、上記（１）の構成のパッキン装着構造によれば、相手方コネクタとの接続時における、パッキンによる接続箇所の良好な防水性を確保できる。また、パッキンのハウジングへの装着時の作業性を向上できる。
上記（２）の構成のパッキン装着構造では、凸部からなる係止部が凹部からなる被係止部へ挿し込まれて嵌合されるため、パッキンが治具に保持され易い。このため、パッキンの弛みの発生が抑制され易い。
上記（３）の構成のパッキン装着構造では、複数の係止部と被係止部とが係合されるため、単一の係止部及び被係止部とが係合される場合と比べてパッキンが治具に保持され易い。このため、パッキンの弛みの発生が抑制され易い。
【００１２】
また、上述した目的を達成するために、本発明に係るコネクタは、下記（４）〜（６）を特徴としている。
（４）  端子を収容する筒状の端子収容筒部と、該端子収容筒部の外周を覆うように形成された筒状のフード部と、を有するハウジングと、
前記端子収容筒部と前記フード部との間から前記ハウジング内部に挿入され、前記端子収容筒部の外周に密着して装着される環状のパッキンと、
を備え、
開口側の端面が前記パッキンの形状に対応した環状に形成された筒状の本体部を有する治具の前記端面に前記パッキンが接触した状態で、前記治具の前記本体部の少なくとも一部が前記ハウジング内部に挿入されることにより、前記パッキンが前記端子収容筒部に装着されるコネクタであって
前記パッキンには、前記治具の前記端面に形成された係止部に係止される被係止部が形成されている、
こと。
（５）  上記（４）の構成のコネクタであって、
前記パッキンに形成された前記被係止部は、前記治具の前記端面から前記パッキンの挿入方向に突出した凸部からなる前記係止部が嵌合する凹部である、
こと。
（６）  上記（４）又は（５）の構成のコネクタであって、
前記パッキンには、前記治具の前記端面に複数形成された前記係止部がそれぞれ係止される前記被係止部が複数形成されている、
こと。
【００１３】
上記（４）の構成のコネクタでは、環状のパッキンが環状の治具によりハウジングへ装着される場合であっても、治具の本体部の端面に形成された係止部がパッキンの被係止部に係止された状態でパッキンが端子収容筒部とフード部との間からハウジング内部に挿入されるので、パッキンに弛みが生じてパッキンが落ち込んでしまう事態の発生が抑制される。即ち、治具に保持されたパッキンの姿勢が安定化されるため、パッキンがハウジングに対して正しく装着され易い。したがって、上記（４）の構成のコネクタによれば、相手方コネクタとの接続時における、パッキンによる接続箇所の良好な防水性を確保できる。また、パッキンのハウジングへの装着時の作業性を向上できる。
上記（５）の構成のコネクタでは、凸部からなる係止部が凹部からなる被係止部へ挿し込まれて嵌合されるため、パッキンが治具に保持され易い。このため、パッキンの弛みの発生が抑制され易い。
上記（６）の構成のコネクタでは、複数の係止部と被係止部とが嵌合されるため、単一の係止部及び被係止部とが嵌合される場合と比べてパッキンが治具に保持され易い。このため、パッキンの弛みの発生が抑制され易い。
【発明の効果】
【００１４】
本発明によれば、良好な防水性を確保することが可能なパッキン装着構造及びコネクタを提供できる。
【００１５】
以上、本発明について簡潔に説明した。更に、以下に説明される発明を実施するための形態を添付の図面を参照して通読することにより、本発明の詳細は更に明確化されるであろう。
【図面の簡単な説明】
【００１６】
【図１】図１は、実施形態に係るコネクタ１０の分解斜視図である。
【図２】図２は、実施形態に係るコネクタ１０の横断面図である。
【図３】図３は、実施形態に係るコネクタ１０の縦断面図である。
【図４】図４は、パッキン１１の斜視図である。
【図５】図５は、ハウジング２１へ装着されるリテーナ２０を説明する説明図であって、図５（ａ）はリテーナ２０が仮係止状態であるコネクタ１０を示す縦断面図であり、図５（ｂ）はリテーナ２０が本係止状態であるコネクタ１０を示す縦断面図である。
【図６】図６は、ハウジング２１へパッキン１１を装着させる際に用いられる治具５１の斜視図である。
【図７】図７は、ハウジング２１へのパッキン１１の装着過程を説明する説明図であって、図７（ａ）〜図７（ｃ）は、それぞれハウジング２１及びパッキン１１及び治具５１の横断面図である。
【図８】図８は、図７（ａ）におけるＡ部拡大図である。
【図９】図９は、環状のパッキン５を備えた参考例に係るコネクタ６を示す分解斜視図である。
【図１０】図１０は、環状のパッキン５を備えた参考例に係るコネクタ６を示す横断面図である。
【図１１】図１１は、ハウジング４へパッキン５を装着させる際に用いられる治具７の斜視図である。
【図１２】図１２は、ハウジング４へのパッキン５の装着過程を説明する説明図であって、図１２（ａ）〜図１２（ｃ）は、それぞれハウジング４及びパッキン５及び治具７の横断面図である。
【図１３】図１３は、パッキン５を保持した治具７の横断面図である。
【発明を実施するための形態】
【００１７】
以下、本発明のパッキン装着構造及びコネクタに関する具体例な実施の形態について、各図面を参照して以下に説明する。
【００１８】
図１は、実施形態に係るコネクタ１０の分解斜視図、図２は、実施形態に係るコネクタ１０の横断面図、図３は、実施形態に係るコネクタ１０の縦断面図、図４は、パッキン１１の斜視図である。図５は、ハウジング２１へ装着されるリテーナ２０を説明する説明図であって、図５（ａ）はリテーナ２０が仮係止状態であるコネクタ１０を示す縦断面図であり、図５（ｂ）はリテーナ２０が本係止状態であるコネクタ１０を示す縦断面図である。
以下、本明細書中では、図１及び図５に矢印で示すように前側、後側、上側、下側、左側、右側を規定して説明する。
【００１９】
図１〜図３に示すように、本実施形態に係るコネクタ１０は、パッキン１１と、パッキン１１が内部に挿入されて装着されるハウジング２１と、を備えている。パッキン１１は、ハウジング２１の前端側（先端側）からハウジング２１に挿入されて装着される。
【００２０】
このコネクタ１０には、ハウジング２１の後端側から電線３７が接続された端子２５が挿し込まれて収容される。また、このコネクタ１０は、ハウジング２１の前端側からリテーナ２０が取り付けられる。
【００２１】
図４に示すように、パッキン１１は、例えば、ゴム等の弾性に優れた樹脂材料から形成された部材であり、パッキン本体部１２と、つば部１３と、を有している。
【００２２】
パッキン本体部１２は、正面視矩形状の環状に形成されている。また、パッキン本体部１２は、先端部の近傍に、周方向に亘って外周側へ突出するリップ部１６を有している。
【００２３】
つば部１３は、ハウジング２１への挿入時におけるパッキン本体部１２のハウジング２１側の端部である後端部に、周方向に亘って外周側に突出するように形成されている。このつば部１３には、その左右両側部に、外方へ突出するリブ１８が形成されている。
【００２４】
また、パッキン１１には、つば部１３におけるパッキン本体部１２との境界部分に、複数の凹部（被係止部）１５が形成されている。当該凹部１５は、つば部１３の前端面の一部が穿たれることにより形成され、パッキン１１の前端側が開口している。これらの凹部１５は、パッキン１１の左右両側における上下方向中央に１つずつ形成され、パッキン１１の上部及び下部に、それぞれ２つずつ形成されている。
【００２５】
図１〜図３に示すように、ハウジング２１は、例えば、プラスチック等の樹脂から成形された部材であり、前端側からパッキン１１が挿入されて装着される。このハウジング２１は、筒状に形成されたフード部２２ａを有するハウジング本体部２２を備えている。このハウジング本体部２２の内部には、筒状の端子収容筒部２３が設けられている。
【００２６】
端子収容筒部２３の内部には、複数のキャビティ２４が形成されており、これらのキャビティ２４に端子２５が収容されている。端子２５は、銅などの導電性金属材料から形成され、電線３７に接続されている。これらの端子２５に接続された電線３７は、ハウジング２１の後端側からハウジング２１の外部に引き出される。また、電線３７には、シール部材３５が取り付けられており、このシール部材３５がハウジング２１の後端側から各キャビティ２４内に嵌め込まれている。これにより、各キャビティ２４は、シール部材３５によってハウジング２１の後端側で防水されている。また、キャビティ２４には、キャビティ２４の内方（図３中上方）へ突出するランス２８が形成されている。そして、端子２５は、キャビティ２４へ挿し込まれることで、ランス２８により係止され、キャビティ２４に収容された状態に保持される。
【００２７】
ハウジング２１は、端子収容筒部２３の外周面が、パッキン１１の挿入方向に延びる第１壁部２６とされている。また、ハウジング２１は、ハウジング本体部２２の内部に、パッキン１１の挿入方向と垂直な方向に延びてハウジング本体部２２と端子収容筒部２３とを繋げる第２壁部２７を有している。
【００２８】
ハウジング２１のハウジング本体部２２には、そのフード部２２ａの左右両側部における第２壁部２７の近傍に、第１壁部２６側へ向かって（内方へ向かって）突出するロックアーム３１が形成されている。
【００２９】
そして、このハウジング２１に対して、ハウジング本体部２２のフード部２２ａと端子収容筒部２３との間に形成された環状の隙間に、ハウジング２１の前端側から、ハウジング２１の環状の隙間内へ向かってパッキン１１が挿入される。
【００３０】
パッキン１１は、パッキン本体部１２の内周面が端子収容筒部２３の外周である第１壁部２６に密着し、且つ、パッキン本体部１２及びつば部１３の後端面が第２壁部２７に接触した状態でハウジング２１に装着され、つば部１３のリブ１８がロックアーム３１に係止される。これにより、パッキン１１がハウジング２１に組み付けられる。
【００３１】
このハウジング２１に装着されるリテーナ２０は、例えば、プラスチック等の合成樹脂から成形された部材で、その後端側からハウジング２１の端子収容筒部２３に組み付けられる。
【００３２】
図５（ａ）及び図５（ｂ）に示すように、リテーナ２０は、ハウジング２１への装着方向（前後方向）における前後の異なる位置に、２つのビーク４２，４３を有している。また、ハウジング２１の端子収容筒部２３には、溝部４４，４５が形成されており、これらの溝部４４，４５は、リテーナ２０の装着方向における前後の異なる位置に段部４４ａ，４５ａを有している。
【００３３】
そして、このリテーナ２０は、ハウジング２１の前端側から端子収容筒部２３へ組み付けられる。このとき、まず、図５（ａ）に示すように、装着方向前方側のビーク４２が、装着方向後方側に段部４４ａを有する溝部４４に入り込む。これにより、リテーナ２０は、溝部４４の段部４４ａにビーク４２が係止され、ハウジング２１に対して仮固定された仮係止状態となる。この状態からリテーナ２０をハウジング２１側へ更に押し込むと、図５（ｂ）に示すように、装着方向後方側のビーク４３が、装着方向前方側に段部４５ａを有する溝部４５に入り込む。これにより、リテーナ２０は、溝部４５の段部４５ａにビーク４３が係止され、ハウジング２１に対して固定された本係止状態となる。本係止状態においては、リテーナ２０の一部がランス２８の撓み空間に入り込み、ランス２０の撓みが規制されて端子２５が二重係止される。
【００３４】
以上説明したパッキン１１を備えたコネクタ１０は、相手方コネクタ（図示略）のハウジングに嵌合されて接続された際に、端子収容筒部２３の各端子２５に相手方コネクタの端子（図示略）が接続されて互いに導通される。
【００３５】
そして、相手方コネクタのハウジングにコネクタ１０が嵌合されると、相手方コネクタのハウジングが、ハウジング本体部２２のフード部２２ａとパッキン１１との間に挿し込まれる。すると、パッキン１１は、パッキン本体部１２の外周面が相手方コネクタのハウジングに密着する。特に、パッキン本体部１２の外周面に形成されたリップ部１６が相手方コネクタのハウジングに押し付けられて弾性変形することにより、確実に相手方コネクタのハウジングに密着する。これにより、コネクタ１０と相手方コネクタとの接続箇所が確実に防水される。
【００３６】
このコネクタ１０において、ハウジング２１にパッキン１１を装着させる際には、図６に示す環状の治具５１が用いられる。
【００３７】
この治具５１は、後側の端面５２ａがパッキン１１の環形状に対応した環状に形成された筒状の本体部５２と、この本体部５２の前端側で外側に張り出した把持部５３と、を有している。本体部５２は、前後両端が開口した開放筒状に形成され、その後側部分がパッキン装着部５４とされており、このパッキン装着部５４の内側に、パッキン１１のパッキン本体部１２がその先端側（前端側）から嵌め込まれる。パッキン装着部５４は、本体部５２のうちのパッキン装着部５４よりも前端側の部分よりも内側に薄肉に形成されている。これにより、パッキン装着部５４の内面には段部５５が形成されている。パッキン装着部５４は、前後方向の長さがパッキン本体部１２の前後方向の長さと略同一とされている。
【００３８】
また、本体部５２の端面５２ａには、複数の凸部（係止部）５６が形成されている。これらの凸部５６は、本体部５２の左右両側における上下方向中央に１つずつ形成され、本体部５２の上部及び下部に、それぞれ２つずつ形成されている。これらの凸部５６は、パッキン１１に形成された凹部１５よりも僅かに小さな外形を有しており、それぞれ凹部１５に対応した位置に形成されている。また、凸部５６は、端面５２ａからパッキン１１の挿入方向（前後方向）に突出するように形成されている。
【００３９】
次に、治具５１を用いてパッキン１１をハウジング２１に組み付ける組み付け過程について説明する。
【００４０】
図７は、ハウジング２１へのパッキン１１の装着過程を説明する説明図であって、図７（ａ）〜図７（ｃ）は、それぞれハウジング２１及びパッキン１１及び治具５１の横断面図である。図８は、図７（ａ）におけるＡ部拡大図である。以下、組み付け過程の説明に際して、組み付けに係る作業を作業者が実施する態様を説明するが、本発明の実施態様はこれに限られない。例えば、組み付けに係る作業の一部又は全てが機械装置により為される態様であってもよい。
【００４１】
まず、作業者は、図７（ａ）に示すように、治具５１にパッキン１１を保持させる。具体的には、作業者は、治具５１の本体部５２に対して、本体部５２の先端側（後端側）から、パッキン１１のパッキン本体部１２を先端側（前端側）から挿し込む。このようにすると、パッキン装着部５４にパッキン本体部１２が嵌め込まれる。これにより、パッキン本体部１２の先端部が段部５５に当接し、図８に示すように、本体部５２の端面５２ａの凸部５６がパッキン１１の凹部１５に嵌合し、本体部５２の端面５２ａがパッキン１１のつば部１３に当接する。即ち、本体部５２の端面５２ａにパッキン１１のつば部１３が載置され、本体部５２の端面５２ａにパッキン１１が接触する。このようにして、パッキン１１が治具５１に保持される。
【００４２】
次に、作業者は、図７（ｂ）に示すように、把持部５３を把持して治具５１の先端部（後端部）をハウジング２１の先端側（前端側）からつば部１３が第２壁部２７に当接するまで挿し込む。すると、パッキン１１は、後端のつば部１３に形成されたリブ１８がハウジング２１に形成されたロックアーム３１によって係止され、端子収容筒部２３の外周に密着した状態でハウジング２１に装着される。
【００４３】
その後、作業者は、図７（ｃ）に示すように、把持部５３を把持して治具５１をハウジング２１から引き抜く。このようにすると、治具５１の本体部５２がパッキン１１から外れ、治具５１だけがハウジング２１から取り外される。
【００４４】
以上説明した組み付け過程により、各部材が組み付けられ、本実施形態に係るコネクタ１０が得られる。
【００４５】
以下では、本実施形態に係るパッキン装着構造及びコネクタ１０の作用及び効果を説明する。
【００４６】
本実施形態に係るパッキン装着構造は、端子２５を収容する筒状の端子収容筒部２３と、該端子収容筒部２３の外周を覆うように形成された筒状のフード部２２ａと、を有するハウジング２１と、端子収容筒部２３とフード部２２ａとの間からハウジング２１内部に挿入され、端子収容筒部２３の外周に密着して装着される環状のパッキン１１と、開口側の端面５２ａ（後端面）がパッキン１１の外形状に対応した環状に形成された筒状の本体部５２を有し、該本体部５２の少なくとも一部が、端面５２ａに前記パッキン１１が接触した状態でハウジング２１内部に挿入されることにより、パッキン１１を端子収容筒部２３に装着させる治具５１と、を備えている。そして、端面５２ａには、係止部としての凸部５６が形成され、パッキン１１には、凸部５６に係止される被係止部としての凹部１５が形成されている。
このような本実施形態に係るパッキン１１の装着構造によれば、環状のパッキン１１が環状の治具５１によりハウジング２１へ装着される場合であっても、治具５１の本体部５２の端面５２ａに形成された凸部５６がパッキン１１の凹部１５に嵌合されて係止された状態でパッキン１１が端子収容筒部２３とフード部１１ａとの間からハウジング２１内部に挿入されるので、パッキン１１に弛みが生じてパッキン１１が内側に落ち込んでしまうようなことがない（図１３参照）。即ち、治具５１に保持させたパッキン１１の姿勢が安定化されるため、使用者は、治具５１をハウジング２１へ挿し込むだけでパッキン１１をハウジング２１に正しく装着させることができる。したがって、本実施形態に係るパッキン１１の装着構造によれば、相手方コネクタとの接続時におけるパッキン１１による接続箇所の防水性を確実に確保することができる。また、パッキン１１のハウジング２１への装着時の作業性を向上させることができる。
以上説明したように、本実施形態に係るパッキン装着構造によれば、良好な防水性を確保することが可能なパッキン装着構造を提供できる。
【００４７】
また、本実施形態に係るパッキン装着構造では、上記係止部が、端面５２ａからパッキン１１の挿入方向（前後方向）に突出した凸部５６であり、上記被係止部が、パッキン１１に形成されて凸部５６と嵌合する凹部１５である。
このようなパッキン装着構造によれば、凸部５６からなる係止部が凹部１５からなる被係止部へ挿し込まれて嵌合されるため、パッキン１１が治具５１に対して確実に保持される。このため、パッキン１１の弛みの発生が抑制される。
【００４８】
また、本実施形態に係るパッキン装着構造では、上記端面５２ａには、係止部としての凸部５６が複数形成され、パッキン１１には、凸部５６がそれぞれ係止される被係止部としての凹部１５が複数形成されている。
このようなパッキン装着構造によれば、複数の凸部５６と凹部１５が嵌合されるため、単一の凸部５６及び凹部１５が嵌合される場合と比べてパッキン１１に弛みを生じさせることなく、容易且つ確実にパッキン１１を治具５１に保持させることができる。
【００４９】
また、本実施形態に係るコネクタ１０は、端子２５を収容する筒状の端子収容筒部２３と、該端子収容筒部２３の外周を覆うように形成された筒状のフード部２２ａと、を有するハウジング２１と、端子収容筒部２３とフード部２２ａとの間からハウジング２１内部に挿入され、端子収容筒部２３の外周に密着して装着される環状のパッキン１１と、を備えている。コネクタ１０では、開口側の端面５２ａ（後端面）がパッキン１１の外形状に対応した環状に形成された筒状の本体部５２を有する治具５１の端面５２ａにパッキン１１が接触した状態で、治具５１の本体部５２の少なくとも一部がハウジング２１内部に挿入されることにより、パッキン１１を端子収容筒部２３に装着される。そして、端面５２ａには、係止部としての凸部５６が形成され、パッキン１１には、凸部５６に係止される被係止部としての凹部１５が形成されている。
また、本実施形態に係るコネクタ１０では、パッキン１１に形成された上記被係止部は、治具５１の端面５２ａからパッキン１１の挿入方向（前後方向）に突出した凸部５６が嵌合する凹部１５である。
また、本実施形態に係るコネクタ１０では、パッキン１１には、治具５１の端面５２ａに複数形成された凸部５６がそれぞれ係止される凹部１５が複数形成されている。
このようなコネクタ１０によれば、上述したパッキン装着構造における効果と同様の効果を奏することができる。即ち、本実施形態に係るコネクタ１０によれば、良好な防水性を確保することが可能なコネクタを提供できる。
【００５０】
尚、本発明の技術的範囲は、上述した実施形態に限定されるものではない。上述した実施形態は、本発明の技術的範囲内で種々の変形や改良等を伴うことができる。
【００５１】
例えば、本実施形態では、係止部が端面５２ａから前後方向に突出した凸部５６であり、被係止部が凸部５６と嵌合する凹部１５である構成としたが、パッキン１１が治具５１に対して保持される構成であればよく、例えば、端面５２ａに形成される係止部が凹部であり、パッキン１１に形成される被係止部が凸部である構成としても構わないし、その他の係止機構を用いた構成としても構わない。
【００５２】
また、本実施形態では、端面５２ａに凸部５６が複数形成され、パッキン１１に凸部５６がそれぞれ係止される凹部１５が複数形成されている構成としたが、端面５２ａに単一の凸部が形成され、パッキン１１に単一の凹部が形成されている構成としても構わない。
【００５３】
また、本実施形態では、治具５１の本体部５２の略全てがハウジング２１の内部に挿入されることにより、パッキン１１が端子収容筒部２３に装着される構成としたが、本体部５２の後側の一部がハウジング２１の内部に挿入される構成であっても構わない。
【００５４】
また、本実施形態では、治具５１が開放筒状に形成されている構成としたが、図６中における後端側のみが開口した筒状に形成されている構成としても構わない。
【符号の説明】
【００５５】
１０：コネクタ
１１：パッキン
１５：凹部（被係止部）
２１：ハウジング
２２ａ：フード部
２３：端子収容筒部
２５：端子
５１：治具
５２：本体部
５２ａ：端面
５６：凸部（係止部）
【図１】
2014096265.tif 000003
【図２】
2014096265.tif 000004
【図３】
2014096265.tif 000005
【図４】
2014096265.tif 000006
【図５】
2014096265.tif 000007
【図６】
2014096265.tif 000008
【図７】
2014096265.tif 000009
【図８】
2014096265.tif 000010
【図９】
2014096265.tif 000011
【図１０】
2014096265.tif 000012
【図１１】
2014096265.tif 000013
【図１２】
2014096265.tif 000014
【図１３】
2014096265.tif 000015